(57)【要約】【課題】  従来用途の仮設盤に、付加価値（鍵保管機能）を加え、さらに安全性、作業性、耐候性を向上させた、低コストの仮設盤を提供する。【解決手段】従来の仮設盤に、主として、操作スイッチ、ソレノイド、バネからなる、設定可変の暗証番号方式の電気錠で作動する鍵保管装置を内蔵した。さらに、従来の構造を次の如く一新した。（１）開閉器側前面下辺と底面の前辺を含む一部、又は全部をカットした。（２）引込ポールへの着脱方法として、クリアランスを大きくとった上下引掛方式とした。（３）従来の片側二面体を、裏表二面体とし、両面開口部を外曲げし、カブセ防雨構造とした。【選択図】図１
2004263550.tif 000002
【特許請求の範囲】
【請求項１】
鍵保管装置（又は機能）を有する仮設盤（一般引込盤を含む  以降同じ）
【請求項２】
鍵保管装置は、主として操作スイッチ、ソレノイド、バネからなる設定可変の暗証番号方式の電気錠で作動することを特徴とする請求項１記載の仮設盤
【請求項３】
盤構造を、本体開閉器側前面下辺と、底面の前辺を含む一部、又は全部をカットしたことを特徴とする請求項１，２記載の仮設盤
【請求項４】
盤構造を、引込ポール側の盤取付用電柱バンドに対し、クリアランスを大きくとった引掛金具付盤を上下に引掛ける方式としたことを特徴とする請求項１，２，３記載の仮設盤
【請求項５】
盤構造（実施例１の場合）を、ＷＨＭ側と開閉器側を裏表に配置、さらに盤本体両面開口部を外曲げしたカブセ防雨構造、としたことを特徴とする請求項１，２，３，４記載の仮設盤
【発明の詳細な説明】
【技術分野】
【０００１】
本発明は従来の仮設盤に鍵保管装置を内蔵し、さらに構造を一新した仮設盤
【背景技術】
【０００２】
従来、新築工事現場における新築家屋の工事期間専用の鍵は仮設盤または水道検針函の中にそのまま入れておくのが一般的で、極めて無用心だった。そのため大工職人が鍵を持ちかえることもあり、他の工事業者の妨げとなってきた。
【０００３】
又、コンセントへのプラグの抜き差しは、いちいち底面開口部を通さず、扉を開いて前面から行うのが常だった。そのため雨天時にも扉が閉まらず、感電の危険性が高かった。
【０００４】
又、引込ポールへの仮設盤の着脱方法として、特に省力化したものは無かった。
【０００５】
又、従来のＷＨＭ付仮設盤は全て片側二面体となっていた。
【０００６】
先行技術文献情報を調査した結果、該当するものは無かった。
【発明の開示】
【発明が解決しようとする課題】
【０００７】
このように、新築工事現場では鍵の安全な保管方法が確立しておらず、又、仮設盤としての改善もされてなかった。
【０００８】
本発明はこのような課題を解決するためになされたもので、従来用途の仮設盤に鍵保管装置を内蔵し、且つ、盤構造を一新することによって安全性、作業性、耐候性を向上させた低コストの仮設盤を提供することを目的とする。
【課題を解決するための手段】
【０００９】
請求項１の発明
新築現場での鍵の保管要件として、（１）全工事期間中設置可能（２）取扱いに適した場所である（３）設置スペースを確保できる（４）電源が必要であれば容易に得られる等、各要件を満たす仮設盤に着目し、そこに鍵保管装置（又は機能）を設けた。
【００１０】
請求項２の発明
鍵保管装置は暗証番号設定用切替スイッチ、解錠用押釦スイッチ、ソレノイド、引バネを組み合わせた簡単なしくみと、単純な電気回路からなる設定可変の暗証番号方式の電気錠で作動するものとした。
【００１１】
請求項３の発明
盤前面からコンセントにプラグを差した場合でもコードを挟まず扉が閉まるように、盤本体の開閉器側前面下辺と底面の前辺を含む一部、又は全部をカットした。
【００１２】
請求項４の発明
引込ポールへの盤着脱時、作業者の負担を軽減するため、クリアランスを大きくとった上下引掛方式とした。
【００１３】
請求項５の発明
盤構造を、従来の片側二面体から裏表二面体とし、両面開口部を外曲げし、カブセ防雨構造とした（実施例１の場合）。
【発明の効果】
【００１４】
以上の如き本発明の仮設盤の構成では次のような効果を得ることができる。
【００１５】
鍵保管機能をもつため、新築現場の工事管理に寄与できる。又、同装置は電子部品、リレーを用いないため、衝撃に強く、故障も少なく、低コストとなり、待機電力も必要としない。
【００１６】
常に扉を閉じられる構造であることから、感電の危険性がない。
【００１７】
引込ポールへの着脱方法を省力化したため、盤重量を支えている時間が極めて短く、作業性が改善された。
【００１８】
裏表二面体の特徴は、構造上、背面板は存在せず、機器取付用中板は裏表共用となる
。さらに防雨構造が簡単ですむことから省資源、低コストとなる。又、この形状は亜鉛留まりが出来にくいため、溶融亜鉛メッキ加工が可能となり耐候性が向上する。又、ＷＨＭ側扉と開閉器側扉が逆方向になっていることから、例えば敷地境界に設置すればＷＨＭは道路に、開閉器側は構内に向き、合理的な配置となり一般引込盤としての利用価値も高い。
【発明を実施するための最良の形態】
【００１９】
発明の実施の形態を実施例に基ずき図面を参照して説明する。
【実施例１】
【００２０】
図１〜図３において、本発明の仮設盤は引込ポール１に取付けた盤取付用電柱バンド２０ａに引掛けた後、ボルト・ナットで固定する。図では左がＷＨＭ側、右が引込開閉器並びにコンセント側となる。内部構造を点線（一部実線）で示す。左右中央に機器取付用中板５を、暗証番号設定用切替スイッチ１２、解錠用押釦スイッチ１０、鍵保管函４をそれぞれ図の如く配置する。図１ａ２７は盤本体開閉器側前面下辺と底面の前辺を含む一部をカットしていることを示す。又、盤取付用電柱バンド２０ａは上下連結バー２０ｂで一定間隔に保持され、引掛金具１９で上から引掛ける方式とする。図４は同盤（ａ）と従来の仮設盤（ｂ）との防雨構造の比較図であり、従来盤の、水切個所と盤構造の複雑さを示す。
【００２１】
図５は鍵保管装置の電気回路図である。１ｃ接点を持つ暗証番号設定用切替スイッチと、同じく１ｃ接点を持つ解錠用押釦スイッチとをそれぞれ１個ずつ組み合わせて１セクションとする。暗証番号設定用切替スイッチが設定側（点線）であるとき、解錠用押釦スイッチを押せば、このセクションは「開」より「閉」となる。又、暗証番号設定用切替スイッチがＯＦＦ（実線）であるとき、解錠用押釦スイッチを押せば「閉」より「
開」となり、番号違いの操作はキャンセルに働く。この１セクションを順次、直列に接続する。したがって、同時に押した解錠用押釦スイッチ番号が設定番号と合致したときのみ、ソレノイドは充電（解錠）する。
【００２２】
鍵保管装置のしくみと取扱い方法を図１で説明する。着工前、工事管理者が暗証番号設定用切替スイッチ１２のいくつかを設定側にした後、ＷＨＭ側扉２を閉じ、施錠し、設定番号を各工事業者に伝達する。次に鍵の保管と取出しについて説明する。各工事業者は保管口１１から鍵をいれる。この時、可動板１３は引バネ８により実線位置にあり  鍵はそこで止まり保管状態となる。鍵の取出しは工事管理者から伝達された設定番号に対応する解錠用押釦スイッチ１０を同時に押せばソレノイド１５が充電し、連結した可動板１３を引きつけ、可動板は点線位置となり鍵は鍵取出口に自由落下する。
【実施例２】
【００２３】
製造コストを、より低減させるための実施例を図６に示し説明する。図１の左半分のＷＨＭ側を取りやめ、図６において、開閉器側上方に引掛金具付ＷＨＭ取付用ステー２５を伸ばす。又、実施例１の、暗証番号設定用切替スイッチ１２は、実施例２の仮設盤内に設け、工事管理者以外の者が触れないように、その個所を密閉施錠する（図省略）あとは全て実施例１に準ずる。
【図面の簡単な説明】
【００２４】
【図１】本発明の形態に係る仮設盤（実施例１）の正面図（ａ）と開閉器側側面図（ｂ）
【図２】同盤のＷＨＭ側側面図
【図３】同盤の上面図
【図４】同盤と、従来の仮設盤との防雨構造の比較図
【図５】鍵保管装置の電気回路図
【図６】実施例２の仮設盤の正面図（ａ）と右側面図（ｂ）
【符号の説明】
【００２５】
１    引込ポール
２    ＷＨＭ側扉
３    ＷＨＭ
４    鍵保管函
５    機器取付用中板
６    コンセント
７    仮設盤の本体
８    引バネ
９    可動板の支点
１０  解錠用押釦スイッチ
１１  鍵保管口
１２  暗証番号設定用切替スイッチ
１３  可動板
１４  鍵取出口
１５  ソレノイド
１６  開閉器側扉
１７  コード止め
１８  保護シート
１９  引掛金具
２０ａ  盤取付用電柱バンド
２０ｂ  上下バンド連結バー
２１  引込開閉器
２２  検針窓
２３  封印錠
２４  実施例２のＷＨＭ（又はＷＨＭ箱）取付板
２５  実施例２の引掛金具付ＷＨＭ取付用ステー
２６  実施例２の仮設盤本体
２７  盤本体の前面下辺と底面の前辺を含む一部のカットを示す
【図１】
2004263550.tif 000003
【図２】
2004263550.tif 000004
【図３】
2004263550.tif 000005
【図４】
2004263550.tif 000006
【図５】
2004263550.tif 000007
【図６】
2004263550.tif 000008